(57)【要約】      （修正有）【課題】様々な使用者の体型に応じて、高度と傾斜角度等の要件の調整を同時に達成することができ、しかも構造はシンプルで、軽易で、迅速に操作を行うことができ、使用の利便性を向上させることができる調整型デスクを提供する。【解決手段】調整型デスク２は天板２１両側にそれぞれサポートユニット２２を設置し、該各サポートユニット２２は固定フレーム２３とサポートフレーム２４、固定フレーム２３とサポートフレーム２４に接合する複数の固定部品２５を備え、これにより天板２１は安定的に支えられる。同時に固定フレーム２３とサポートフレーム２４上に開設するスライドレール２３１設計を対応させ、しかもスライドレール２３１は対応し二交差点を形成する。この時、各固定部品２５により該二交差点をそれぞれ穿設し、各固定部品２５の緩めと締めを利用し、使用者は高度と傾斜角度を調整することができる。【選択図】図１
0003144076.tif 000002
【実用新案登録請求の範囲】
【請求項１】
天板、該天板両側にそれぞれ設置するサポートユニットを含み、
該各サポートユニットは該天板と固接する固定フレーム、該固定フレームと対応設置するサポートフレーム、該固定フレームと該サポートフレームに接合する複数の固定部品を備え、
該各固定フレームと該サポートフレーム上には、長槽型の第一スライドレールと第二スライドレールをそれぞれ開設し、しかも該第一、第二スライドレールは交差し二交差点を形成し、該各固定部品により該二交差点をそれぞれ穿設し、該各固定部品の緩めと締め、及び該第一、第二スライドレールにおけるスライドを利用し、該天板の高度と傾斜角度を調整することを特徴とする調整型デスク。
【請求項２】
請求項１記載の調整型デスクにおいて、前記各サポートユニット上には別に調整ユニットを設置し、該調整ユニットは該固定フレーム上に設置する調整棒を備え、該調整棒を該サポートフレーム上の螺合部品に固設し、該螺合部品の緩め或いは締め状態により、該固定フレームの揺れ角度と定位効果を制御することを特徴とする調整型デスク。
【請求項３】
請求項１或いは請求項２記載の調整型デスクにおいて、前記各固定フレームと該サポートフレームの周縁には、間隔を開け設置する二調整区をそれぞれ開設し、しかも該各調整区は複数の調整孔により構成し、同時に該各固定フレームと該サポートフレームが相互に対応する時、さらに定位棒を対応させ、相同位置の該各調整孔に挿入設置し、該天板を特定の高度に調整することを特徴とする調整型デスク。
【請求項４】
請求項１或いは請求項２記載の調整型デスクにおいて、前記各サポートフレーム上には複数の挿入孔を開設し、しかも該各挿入孔にはサポート棒を挿入設置し、同時に該サポート棒上には側板を固設することを特徴とする調整型デスク。
【請求項５】
請求項１或いは請求項２記載の調整型デスクにおいて、前記各固定フレームと該サポートフレーム上には、間隔を開けて設置する複数の螺合孔を開設し、これにより、ストッパーは該各サポートユニット間に設置することができ、しかも定位部品を利用し、該ストッパーを該各螺合孔上に螺合することを特徴とする調整型デスク。
【請求項６】
請求項１或いは請求項２記載の調整型デスクにおいて、前記各固定フレーム上には、装飾板を設置し、該装飾板上には複数の開口部を開設することを特徴とする調整型デスク。
【請求項７】
請求項１或いは請求項２記載の調整型デスクにおいて、前記各サポートフレーム上には、装飾板を設置し、該装飾板上には複数の開口部を開設することを特徴とする調整型デスク。
【考案の詳細な説明】
【技術分野】
【０００１】
本考案はデスクに関する。特に調整型デスクに係る。
【背景技術】
【０００２】
市場で見られるデスクの設計は、主に天板、及び該天板下方に固設する複数の支柱により組成する。該支柱は固定形態であるため、使用後には、以下のような不完全な点があることが発見されている。
１．同年齢であっても人はそれぞれ身長や体型が異なるため、児童や会社員がみな同一サイズのデスクを使用するなら、該支柱の長さの制限を受け、該天板の高さをすべての人に適した高さに調整することができず、使用上の困難を招いている。さらには、様々な使用者の座る姿勢の問題をも引き起こしており、健康に悪影響を及ぼしている。
２．前記のように、該支柱は一定の長さで該天板上に固設するため、該天板は一切の高さの調整を行うことができないばかりか、一切の角度の調整を行うこともできず、使用上非常に不便である。
【０００３】
公知のデスクの使用上の制限に鑑み、業者は異なる構造の調整型デスクを開発した。現在市販されている調整型デスクは、気圧棒、或いは伸縮棒等の調整方式を採用する。該気圧棒或いは該伸縮棒により該天板と固接し、該気圧棒或いは該伸縮棒の昇降を利用し、該天板の高さの調整を達成する。
しかし、該気圧棒或いは該伸縮棒の方式は、該天板の昇降高度を調整することはできるが、該天板を一定の傾斜角度に調整しようとするなら、その構造に別に他の設計を増設しなければならない。これにより公知の調整型デスク設計の複雑度と使用の不便を拡大してしまっており、改善が待たれる。
【考案の開示】
【考案が解決しようとする課題】
【０００４】
本考案の目的は、様々な使用者の体型に応じて、高度と傾斜角度等の要件の調整を同時に達成することができ、しかも構造はシンプルで、軽易で、迅速に操作を行うことができ、使用の利便性を向上させることができる調整型デスクを提供することである。
【０００５】
調整型デスクは天板、該天板両側にそれぞれ設置するサポートユニットを含み、
該各サポートユニットは該天板と固接する固定フレーム、該固定フレームと対応設置するサポートフレーム、該固定フレームと該サポートフレームに接合する複数の固定部品を備え、
該各固定フレームと該サポートフレーム上には、長槽型の第一スライドレールと第二スライドレールをそれぞれ開設し、しかも該第一、第二スライドレールは対応し二交差点を形成し、該各固定部品により該二交差点をそれぞれ穿設し、該各固定部品の緩めと締め、及び該第一、第二スライドレールにおけるスライドを利用し、使用者は簡単、便利に必要な高度と傾斜角度に基づき調整を行うことができ、使用の利便性を向上させることができる。
【課題を解決するための手段】
【０００６】
請求項１の考案は、天板、該天板両側にそれぞれ設置するサポートユニットを含み、
該各サポートユニットは該天板と固接する固定フレーム、該固定フレームと対応設置するサポートフレーム、該固定フレームと該サポートフレームに接合する複数の固定部品を備え、
該各固定フレームと該サポートフレーム上には、長槽型の第一スライドレールと第二スライドレールをそれぞれ開設し、しかも該第一、第二スライドレールは交差し二交差点を形成し、該各固定部品により該二交差点をそれぞれ穿設し、該各固定部品の緩めと締め、及び該第一、第二スライドレールにおけるスライドを利用し、該天板の高度と傾斜角度を調整することを特徴とする調整型デスクとしている。
請求項２の考案は、請求項１記載の調整型デスクにおいて、前記各サポートユニット上には別に調整ユニットを設置し、該調整ユニットは該固定フレーム上に設置する調整棒を備え、該調整棒を該サポートフレーム上の螺合部品に固設し、該螺合部品の緩め或いは締め状態により、該固定フレームの揺れ角度と定位効果を制御することを特徴とする調整型デスクとしている。
請求項３の考案は、請求項１或いは請求項２記載の調整型デスクにおいて、前記各固定フレームと該サポートフレームの周縁には、間隔を開け設置する二調整区をそれぞれ開設し、しかも該各調整区は複数の調整孔により構成し、同時に該各固定フレームと該サポートフレームが相互に対応する時、さらに定位棒を対応させ、相同位置の該各調整孔に挿入設置し、該天板を特定の高度に調整することを特徴とする調整型デスクとしている。
請求項４の考案は、請求項１或いは請求項２記載の調整型デスクにおいて、前記各サポートフレーム上には複数の挿入孔を開設し、しかも該各挿入孔にはサポート棒を挿入設置し、同時に該サポート棒上には側板を固設することを特徴とする調整型デスクとしている。
請求項５の考案は、請求項１或いは請求項２記載の調整型デスクにおいて、前記各固定フレームと該サポートフレーム上には、間隔を開けて設置する複数の螺合孔を開設し、これにより、ストッパーは該各サポートユニット間に設置することができ、しかも定位部品を利用し、該ストッパーを該各螺合孔上に螺合することを特徴とする調整型デスクとしている。
請求項６の考案は、請求項１或いは請求項２記載の調整型デスクにおいて、前記各固定フレーム上には、装飾板を設置し、該装飾板上には複数の開口部を開設することを特徴とする調整型デスクとしている。
請求項７の考案は、請求項１或いは請求項２記載の調整型デスクにおいて、前記各サポートフレーム上には、装飾板を設置し、該装飾板上には複数の開口部を開設することを特徴とする調整型デスクとしている。
【考案の効果】
【０００７】
本考案は様々な使用者の体型に応じて、高度と傾斜角度等の要件の調整を同時に達成することができ、しかも構造はシンプルで、軽易で、迅速に操作を行うことができ、使用の利便性を向上させることができる。
【考案を実施するための最良の形態】
【０００８】
本考案調整型デスク２の第一最適実施例の立体分解図である図１に示すように、それは天板２１、該天板２１両側にそれぞれ設置するサポートユニット２２を含む。
該各サポートユニット２２は該天板２１と固接する固定フレーム２３、該固定フレーム２３と対応設置するサポートフレーム２４、該固定フレーム２３と該サポートフレーム２４に接合する複数の固定部品２５、２５’ (図中に示すネジ、ナット等)を備える。
該各固定フレーム２３と該サポートフレーム２４上には、長槽型の第一スライドレール２３１と第二スライドレール２４１をそれぞれ開設し、しかも該第一、第二スライドレール２３１、２４１は対応し、かつ二交差点を形成する。並びに、該各固定部品２５、２５’により該二交差点をそれぞれ穿設し、該各固定部品２５、２５’はこうして該第一、第二スライドレール２３１、２４１においてスライドすることができ、さらに、回し緩め、或いは螺合の動作を行うことができ、これにより該天板２１の高度と傾斜角度を調整する。
同時に、該各固定フレーム２３と該サポートフレーム２４の周縁には、間隔を開け設置する二調整区２６をそれぞれ開設し、しかも該各調整区２６は複数の調整孔２６１により構成する。
該各固定フレーム２３と該サポートフレーム２４が相互に対応する時、さらに定位棒２６２を対応させ、相同位置の該各調整孔２６に挿入設置し、該天板２１を特定の高度に調整する。
【０００９】
さらに、該各固定フレーム２３と該サポートフレーム２４上には、間隔を開けて設置する複数の螺合孔２８を開設する。これにより、ストッパーは該各サポートユニット２２間に設置することができ、しかも定位部品２８２を利用し、該ストッパー２８１を該各螺合孔２８上に螺合する。
また該各固定フレーム２３と該サポートフレーム２４上には、装飾板３を適時設置することができ、該各固定フレーム２３或いは該サポートフレーム２４の内のどちらか、或いは該各固定フレーム２３と該サポートフレーム２４の両方において、装飾板３を設置することができる。本実施例では該各該サポートフレーム２４にのみ装飾板３を設置する例について説明するが、美観と該各固定フレーム２３及び該サポートフレーム２４のサポート強度を増強可能である他に、該装飾板３上には複数の開口部３１を開設し、使用者は物品を掛けるために使用することができ、使用の利便性を向上させることができる。
【００１０】
デスクの組み立て時に、業者が該調整型デスク２を特定の角度にすれば、使用者は直接使用することができる。
先ず、該固定固接フレーム２３上の二調整区２６の調整孔２６１を、該サポートフレーム２４上の二調整区２６の調整孔２６１上にそれぞれ対応させる。同時に、該固定フレーム２３の調整孔２６１はすべて、相同高度のサポートフレーム２４の調整孔２６１上に対応し、該定位棒２６２を利用し該各調整孔２６１内に穿設する。さらに、該各固定部品２５、２５’を該第一、第二スライドレール２３１、２４１中に穿設し緊密に螺合し、こうして該固定フレーム２３と該サポートフレーム２４は固定される。続いて、別の固定フレーム２３もまた、上記と同じステップで調整を行い、その調整孔２６１は前記の固定フレーム２３と相同高度の位置に対応し、該天板２１は水平状態を呈し、特定高度に維持される。こうして図２に示す状態を完成する。
【００１１】
上記は業者の組み立て時に、予め高度設定を行う製品であるが、使用時には、使用者は必要なサイズに応じて調整を行うことができる。
図３、４に示すように、高度調整において、使用者は該各固定部品２５、２５’を同時に緩め、該固定フレーム２３の高度を調整する。または、該サポートユニット２２の任意の固定部品２５を先ず緩め、次にもう一方のまだ緩めていない固定部品２５’を中心点とし、該固定フレーム２３の片側を上下に移動させる。同時に、該第一スライドレール２３１と該第二スライドレール２４１は二交差点を対応形成し、さらに、該各固定部品２５を該二交差点中に緊密に螺合し、該固定フレーム２３と該サポートフレーム２４を固定する。続いて、緩めてあった固定部品２５を中心点とし、該固定フレーム２３の反対側を相同の高度位置まで調整し、最後にもう一つのサポートユニット２２も上記ステップと同様の調整を行い、該天板２１を水平状態とし、該調整型デスク２の高度調整を完成する。
【００１２】
角度の調整においては、上記高度調整のステップと同様に、該固定フレーム２３が上下移動を呈する時、左右への揺動も呈するため、使用者は必要に応じて該固定フレーム２３を傾斜状態とし、さらに該各固定部品２５、２５’を利用し螺合する。こうして該天板２１の角度調整を完成し、使用時には最適な視覚を提供することができる。
【００１３】
図５、６に示すように、本発明の第二実施例は、天板２１、二サポートユニット２２、二固定フレーム２３、二サポートフレーム２４、固定部品２５、２５’等の構成部品を含む。
該各サポートユニット２２上には別に調整ユニット２９を設置し、該調整ユニット２９は該固定フレーム２３上に設置する調整棒２９１を備える。該調整棒２９１を該サポートフレーム２４上の螺合部品２９２に固設し、該螺合部品２９２の緩め或いは締め状態により、該固定フレーム２３の揺れ角度と定位効果を制御することができる。
別に、該各サポートフレーム２４上には複数の挿入孔２４２を開設し（図中では２個の挿入孔２４２を示す）、しかも該各挿入孔２４２にはサポート棒４を挿入設置する。同時に該サポート棒４上には側板５を固設し、該天板２１の使用空間を拡大する。
【００１４】
さらに図７、８に示すように、本実施例の高度と角度の調整ステップは第一実施例とほぼ同様であるが、相違点は使用者は該各固定部品２５、２５’を回し緩める他に、該調整ユニット２９の螺合部品２９２を回し緩め、これにより該調整棒２９１を連動する点である。これにより該固定フレーム２３は上下移動及び左右揺動を行い、続いて、該各固定部品２５、２５’を回し締め、定位効果を達成する。該調整ユニット２９の補助により、使用者は該調整棒２９１を簡単に握り、該天板２１の高度と角度を調整することができ、使用の利便性を向上させることができる。
【００１５】
上記のように、本発明調整型デスクは主に天板両側に二サポートユニットをそれぞれ設置し、しかも該かくサポートユニットは固定フレームとサポートフレームを備え、固定部品の穿設定位を対応し、該天板を固定する。さらに、該固定フレームと該サポートフレーム上のスライドレール設計を加え、使用者は簡単、便利で必要な高度及び傾斜角度に調整することができる。また、該サポートユニットに別に設置する調整ユニットにより、使用者の握持、調整に有利である他、使用の利便性を向上させることができ、本考案の目的を確実に達成することができる。
【図面の簡単な説明】
【００１６】
【図１】本考案第一最適実施例の立体分解図である。
【図２】本考案第一最適実施例の立体概略図である。
【図３】本考案第一最適実施例の動作概略図である。
【図４】本考案第一最適実施例の別種の動作概略図である。
【図５】本考案第二最適実施例の平面概略図である。
【図６】本考案第二最適実施例の立体概略図である。
【図７】本考案第二最適実施例の動作概略図である。
【図８】本考案第二最適実施例の別種の動作概略図である。
【符号の説明】
【００１７】
２  調整型デスク
２１  天板
２２  サポートユニット
２３  固定フレーム
２３１  第一スライドレール
２４  サポートフレーム
２４２  挿入孔
２５  固定部品
２５’  固定部品
２６  調整区
２６１  調整孔
２６２  定位棒
２８  螺合孔
２８１  ストッパー
２８２  定位部品
２９  調整ユニット
２９１  調整棒
２９２  螺合部品
３  装飾板
３１  開口部
４  サポート棒
５  側板
【図１】
0003144076.tif 000003
【図２】
0003144076.tif 000004
【図３】
0003144076.tif 000005
【図４】
0003144076.tif 000006
【図５】
0003144076.tif 000007
【図６】
0003144076.tif 000008
【図７】
0003144076.tif 000009
【図８】
0003144076.tif 000010